【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
メールクライアントプログラムが格納された書き込み可能な不揮発性メモリと、揮発性メモリと、処理装置と、表示装置とを備えたメール端末装置であって、
前記処理装置は、前記メールクライアントプログラムを実行することにより、
ヘッダ情報およびボディ情報からなるメッセージを蓄積したメールデータを前記不揮発性メモリに格納し、
前記メールデータの少なくとも一部のデータを前記揮発性メモリにキャッシュし、
前記少なくとも一部のデータを前記表示装置に表示させることを特徴とするメール端末装置。
【請求項２】
前記メールデータから前記揮発性メモリにキャッシュするメッセージの件数に上限値を設けることを特徴とする請求項１に記載のメール端末装置。
【請求項３】
前記メールデータから前記揮発性メモリにキャッシュする容量に上限値を設けることを特徴とする請求項１または請求項２に記載のメール端末装置。
【請求項４】
前記メールデータは、前記不揮発性メモリ上のデータベースにメッセージを格納してなり、
前記少なくとも一部のデータは、前記データベースから取得したメッセージを前記揮発性メモリにオブジェクトとしてキャッシュしてなることを特徴とする請求項１から請求項３のいずれか１項に記載のメール端末装置。
【請求項５】
前記少なくとも一部のデータは、前記メールデータのうちメッセージのヘッダ情報の一部を前記揮発性メモリにキャッシュしてなることを特徴とする請求項４に記載のメール端末装置。
【請求項６】
前記処理装置は、前記メールクライアントプログラムを実行することにより、
さらに、
前記メールデータのうちメッセージのボディ情報を前記不揮発性メモリ上のファイルに蓄積し、
当該ファイルに蓄積されたメッセージのボディ情報を前記表示装置に表示させることを特徴とする請求項４または請求項５に記載のメール端末装置。
【請求項７】
書き込み可能な不揮発性メモリと、揮発性メモリと、処理装置と、表示装置とを備えたメール端末装置で実行されるメールクライアントプログラムであって、
前記処理装置に、
ヘッダ情報およびボディ情報からなるメッセージを蓄積したメールデータを前記不揮発性メモリに格納する格納ステップと、
前記メールデータの少なくとも一部のデータを前記揮発性メモリにキャッシュするキャッシュステップと、
前記少なくとも一部のデータを前記表示装置に表示させる表示ステップと、
を実行させることを特徴とするメールクライアントプログラム。
【請求項８】
前記キャッシュステップでは、前記メールデータから前記揮発性メモリにキャッシュするメッセージの件数に上限値を設けることを特徴とする請求項７に記載のメールクライアントプログラム。
【請求項９】
前記キャッシュステップでは、前記メールデータから前記揮発性メモリにキャッシュする容量に上限値を設けることを特徴とする請求項７または請求項８に記載のメールクライアントプログラム。
【請求項１０】
前記メールデータは、前記不揮発性メモリ上のデータベースにメッセージを格納してなり、
前記少なくとも一部のデータは、前記データベースから取得したメッセージを前記揮発性メモリにオブジェクトとしてキャッシュしてなることを特徴とする請求項７から請求項９のいずれか１項に記載のメールクライアントプログラム。
【請求項１１】
前記少なくとも一部のデータは、前記メールデータのうちメッセージのヘッダ情報の一部を前記揮発性メモリにキャッシュしてなることを特徴とする請求項１０に記載のメールクライアントプログラム。
【請求項１２】
前記処理装置に、
さらに、前記メールデータのうちメッセージのボディ情報を前記不揮発性メモリ上のファイルに蓄積する蓄積ステップを実行させ、
前記表示ステップは、前記ファイルに蓄積されたメッセージのボディ情報を前記表示装置に表示させることを特徴とする請求項１０または請求項１１に記載のメールクライアントプログラム。
【手続補正２】
【補正対象書類名】明細書
【補正対象項目名】００１０
【補正方法】変更
【補正の内容】
【００１０】
上記課題を解決するために、本発明の第１の観点は、メールクライアントプログラムが格納された書き込み可能な不揮発性メモリと、揮発性メモリと、処理装置と、表示装置とを備えたメール端末装置である。
このメール端末装置に用いられる処理装置は、メールクライアントプログラムを実行することにより、ヘッダ情報およびボディ情報からなるメッセージを蓄積したメールデータを不揮発性メモリに格納し、メールデータの少なくとも一部のデータを揮発性メモリにキャッシュする。そして、少なくとも一部のデータを表示装置に表示させることを特徴とする。
【手続補正３】
【補正対象書類名】明細書
【補正対象項目名】００１１
【補正方法】変更
【補正の内容】
【００１１】
このメール端末装置の構成においては、メールデータから揮発性メモリにキャッシュするメッセージの件数に上限値を設けることが好適である。また、メールデータから揮発性メモリにキャッシュする容量に上限値を設けることが好適である。
【手続補正４】
【補正対象書類名】明細書
【補正対象項目名】００１２
【補正方法】変更
【補正の内容】
【００１２】
上記メールデータは、不揮発性メモリ上のデータベースにメッセージを格納してなり、少なくとも一部のデータは、データベースから取得したメッセージを揮発性メモリにオブジェクトとしてキャッシュすることが好適である。また、この場合に、少なくとも一部のデータは、メールデータのうちメッセージのヘッダ情報の一部を揮発性メモリにキャッシュすることが好ましい。さらに、処理装置は、メールクライアントプログラムを実行することにより、メールデータのうちメッセージのボディ情報を不揮発性メモリ上のファイルに蓄積し、当該ファイルに蓄積されたメッセージのボディ情報を表示装置に表示させる構成としても良い。
【手続補正５】
【補正対象書類名】明細書
【補正対象項目名】００１３
【補正方法】変更
【補正の内容】
【００１３】
また、本発明の第２の観点は、書き込み可能な不揮発性メモリと、揮発性メモリと、処理装置と、表示装置とを備えたメール端末装置で実行されるメールクライアントプログラムである。このプログラムは、処理装置に、ヘッダ情報およびボディ情報からなるメッセージを蓄積したメールデータを不揮発性メモリに格納する格納ステップと、メールデータの少なくとも一部のデータを揮発性メモリにキャッシュするキャッシュステップと、少なくとも一部のデータを表示装置に表示させる表示ステップとを実行させることを特徴とする。
【手続補正６】
【補正対象書類名】明細書
【補正対象項目名】００１４
【補正方法】変更
【補正の内容】
【００１４】
上述のプログラムにおいて、キャッシュステップでは、メールデータから揮発性メモリにキャッシュするメッセージの件数に上限値を設けることが好適である。また、このキャッシュステップでは、メールデータから揮発性メモリにキャッシュする容量に上限値を設けることが好適である。
【手続補正７】
【補正対象書類名】明細書
【補正対象項目名】００１５
【補正方法】変更
【補正の内容】
【００１５】
また、上述のメールデータは、不揮発性メモリ上のデータベースにメッセージを格納したものであり、少なくとも一部のデータは、データベースから取得したメッセージを揮発性メモリにオブジェクトとしてキャッシュすることが好適である。この場合、少なくとも一部のデータは、メールデータのうちメッセージのヘッダ情報の一部を揮発性メモリにキャッシュすることが好ましい。さらに、処理装置に、メールデータのうちメッセージのボディ情報を不揮発性メモリ上のファイルに蓄積する蓄積ステップを実行させ、表示ステップでは、ファイルに蓄積されたメッセージのボディ情報を表示装置に表示させる構成としても良い。